(57)【要約】【課題】鋼管柱２内に下部からコンクリート４を圧入中に、その閉塞の予兆把握を行えるようにし、鋼管コンクリート柱を安全且つ高い信頼性で構築可能にする。【解決手段】鋼管柱２の下部からコンクリート４を圧入して鋼管コンクリート柱を構築する方法である。前記コンクリート４の圧入圧力と、前記鋼管柱２内の前記コンクリート４の充填高さＨとを計測し、前記圧入圧力の計測値Ｐｎと前記充填高さの計測値Ｈｎとの関係を表示手段３５にプロットして表示しながら、前記コンクリート４を圧入する。【選択図】図２
2010150832.tif 000002
【特許請求の範囲】
【請求項１】
鋼管柱の下部からコンクリートを圧入して鋼管コンクリート柱を構築する方法であって、
前記コンクリートの圧入圧力と、前記鋼管柱内の前記コンクリートの充填高さとを計測し、前記圧入圧力の計測値と前記充填高さの計測値との関係を表示手段にプロットして表示しながら、前記コンクリートを圧入することを特徴とする鋼管コンクリート柱の構築方法。
【請求項２】
請求項１に記載の鋼管コンクリート柱の構築方法であって、
前記表示手段には、前記コンクリートの比重及び前記充填高さに基づいて求まる理論液圧値を所定倍した値と、前記充填高さとの関係を示す液圧ラインが表示されていることを特徴とする鋼管コンクリート柱の構築方法。
【請求項３】
請求項２に記載の鋼管コンクリート柱の構築方法であって、
前記表示手段には、前記充填高さを横軸、前記圧入圧力を縦軸として、前記圧入圧力の計測値及び前記充填高さの計測値がプロットされ、
前記圧入圧力の計測値が、前記液圧ラインを超えた場合に、前記コンクリートの圧入速度を遅くすることを特徴とする鋼管コンクリート柱の構築方法。
【請求項４】
請求項１乃至３の何れかに記載の鋼管コンクリート柱の構築方法であって、
前記表示手段には、前記鋼管柱の降伏強度に基づいて算出された圧入圧力の許容上限値を示す許容上限ラインが表示されていることを特徴とする鋼管コンクリート柱の構築方法。
【請求項５】
請求項４に記載の鋼管コンクリート柱の構築方法であって、
前記表示手段にプロットされた前記圧入圧力の計測値が、前記許容上限値以下となるように監視しながら、コンクリートの圧入を行うことを特徴とする鋼管コンクリート柱の構築方法。
【請求項６】
請求項４又は５に記載の鋼管コンクリート柱の構築方法であって、
前記表示手段には、前記許容上限値よりも所定倍だけ小さい値たる管理値を示す管理ラインが表示されており、前記表示手段にプロットされた前記圧入圧力の計測値が、前記管理ラインを超えたら、前記コンクリートの圧入を中断することを特徴とする鋼管コンクリート柱の構築方法。
【発明の詳細な説明】
【技術分野】
【０００１】
本発明は、鋼管柱内にコンクリートを充填して鋼管コンクリート柱を構築する方法に関する。
【背景技術】
【０００２】
鋼管柱内にコンクリートを充填して、これを柱とするコンクリート充填鋼管（ＣＦＴ）造が知られている。このＣＦＴ造では、鋼管柱の下部に設けられた圧入口からコンクリートをポンプ等により圧入して鋼管柱内に密実に充填する。そして、その圧入中には、前記圧入口付近に設置した圧力計によりコンクリートの圧入圧力を計測し、これにより、圧入圧力が許容上限値を超えないように監視して鋼管柱に過大な応力が作用するのを防いでいる（特許文献１を参照）。
【特許文献１】特許第３５１８３３４号
【発明の開示】
【発明が解決しようとする課題】
【０００３】
この圧入中の管理項目の一つとして、閉塞の予兆把握が挙げられる。ここで、「閉塞」とは、鋼管柱内にダイアフラムなどの補強部材等が配置されている場合に起こり易い現象であり、練混ぜからの経過時間等により流動性の低下したコンクリートが圧入された際に、ダイアフラムの設置箇所等においてコンクリートが詰まってしまう現象のことを言う。そして、一旦閉塞すると、圧入圧力は急上昇して瞬く間に上述の許容上限値を超えてしまい、場合によっては、ポンプの停止処置等が間に合わずに鋼管柱が降伏・破損してしまう。  
そして、未だに、有効な閉塞の予兆把握方法は開示されていない。
【０００４】
本発明は、このような事情に鑑みてなされたものであって、その目的は、鋼管柱内に下部からコンクリートを圧入中に、その閉塞の予兆把握を行うことを可能にし、鋼管コンクリート柱を安全且つ高い信頼性で構築可能な構築方法を提供する。
【課題を解決するための手段】
【０００５】
かかる目的を達成するために請求項１に示す発明は、
鋼管柱の下部からコンクリートを圧入して鋼管コンクリート柱を構築する方法であって、
前記コンクリートの圧入圧力と、前記鋼管柱内の前記コンクリートの充填高さとを計測し、前記圧入圧力の計測値と前記充填高さの計測値との関係を表示手段にプロットして表示しながら、前記コンクリートを圧入することを特徴とする。  
上記請求項１に示す発明によれば、前記圧入圧力の計測値と前記充填高さの計測値との関係を表示手段にプロットして表示する。よって、プロットにより表示されたグラフの形状を目視することにより、作業者は、閉塞の予兆を瞬時に視認して把握可能となる。結果、閉塞の予兆の見逃しを防ぎ得る。
【０００６】
請求項２に示す発明は、請求項１に記載の鋼管コンクリート柱の構築方法であって、
前記表示手段には、前記コンクリートの比重及び前記充填高さに基づいて求まる圧入圧力の理論液圧値を所定倍した値と、前記充填高さとの関係を示す液圧ラインが表示されていることを特徴とする。  
上記請求項２に示す発明によれば、作業者は、前記計測値のプロットに基づいて表示手段に描かれるグラフの形状を、前記液圧ラインと対比しながら目視することができて、これにより、閉塞の予兆を確実に把握可能となる。
【０００７】
請求項３に示す発明は、請求項２に記載の鋼管コンクリート柱の構築方法であって、
前記表示手段には、前記充填高さを横軸、前記圧入圧力を縦軸として、前記圧入圧力の計測値及び前記充填高さの計測値がプロットされ、
前記圧入圧力の計測値が、前記液圧ラインを超えた場合に、前記コンクリートの圧入速度を遅くすることを特徴とする。  
上記請求項３に示す発明によれば、前記圧入圧力の計測値が、前記液圧ラインを超えた場合に、前記コンクリートの圧入速度を遅くする。よって、鋼管柱に過大な応力が作用するのを防ぐことができる。
【０００８】
請求項４に示す発明は、請求項１乃至３の何れかに記載の鋼管コンクリート柱の構築方法であって、
前記表示手段には、前記鋼管柱の降伏強度に基づいて算出された圧入圧力の許容上限値を示す許容上限ラインが表示されていることを特徴とする。  
上記請求項４に示す発明によれば、作業者は、前記計測値のプロットに基づいて表示手段に描かれるグラフを、前記許容上限ラインと対比しながら目視することができる。そして、これにより、作業者は、圧入圧力の余裕代を瞬時に知ることができて、結果、圧入作業中における鋼管柱の破損を有効に防ぐことができる。
【０００９】
請求項５に示す発明は、請求項４に記載の鋼管コンクリート柱の構築方法であって、
前記表示手段にプロットされた前記圧入圧力の計測値が、前記許容上限値以下となるように監視しながら、コンクリートの圧入を行うことを特徴とする。  
上記請求項５に示す発明によれば、圧入中における鋼管柱の破損を未然に防ぐことができる。
【００１０】
請求項６に示す発明は、請求項４又は５に記載の鋼管コンクリート柱の構築方法であって、
前記表示手段には、前記許容上限値よりも所定倍だけ小さい値たる管理値を示す管理ラインが表示されており、前記表示手段にプロットされた前記圧入圧力の計測値が、前記管理ラインを超えたら、前記コンクリートの圧入を中断することを特徴とする。  
上記請求項６に示す発明によれば、圧入中における鋼管柱の破損を確実に防ぐことができる。
【発明の効果】
【００１１】
本発明によれば、鋼管柱内に下部からコンクリートを圧入中に、その閉塞の予兆把握を行えるので、鋼管コンクリート柱を安全且つ高い信頼性で構築可能となる。
【発明を実施するための最良の形態】
【００１２】
＝＝＝本実施形態＝＝＝
図１は、本実施形態に係る鋼管コンクリート柱の構築方法の説明図である。この構築方法では、立設された鋼管柱２の下部から鋼管柱２の内部にコンクリート４を圧入して充填する。鋼管柱２は、構造物の柱部として用いられるもので、例えば、断面矩形状の角形鋼管や断面円形状の丸形鋼管などを本体２とする。鋼管柱２の内部には、当該鋼管柱２を補強するためのダイアフラム等の補強部材６が、鋼管柱２の高さ方向に間隔をあけて複数設置されており、これら補強部材６は、それぞれ鋼管柱２の内周部に一体的に接合されている。
【００１３】
鋼管柱２の下部には、鋼管柱２の内部にコンクリート４を圧入するための圧入口８が設けられている。圧入口８は、鋼管柱２の外周部を貫通して開口形成されたもので、例えば、図１に示すように、鋼管柱２内に既に充填し終えた充填済みコンクリート１０の上面１０ａよりも若干上方の位置に設けられる。圧入口８には、コンクリート圧送ポンプ１２から延出されたコンクリート供給管１４が接続される。そして、これらコンクリート圧送ポンプ１２及びコンクリート供給管１４を介して、コンクリートミキサー車１６のコンクリート４が前記圧入孔８へと圧送され、これにより、コンクリート４が鋼管柱２の内部へ充填される。この充填に伴い、鋼管柱２内部のコンクリート４の充填高さＨは徐々に増し、目標高さまで充填完了したら、この上方に隣接する不図示の鋼管柱２に対して上述の圧入作業を繰り返す。
【００１４】
ところで、このように鋼管柱２の下部からコンクリート４を圧入している時に、その圧入圧力が急上昇して鋼管柱２に過大な応力負荷を与えてしまうことがある。これは、練混ぜからの経過時間等によるコンクリート自体の流動性の低下や、鋼管柱２の内部に配置された前記ダイアフラム等の補強部材６が原因となって、鋼管柱２内部でのコンクリート４の流動が大きく阻害される「閉塞」が発生するためである。そして、当該閉塞が一旦生じると、圧入圧力の急上昇により瞬時に圧入圧力が鋼管柱２の許容上限値を大幅に上回ってしまい、場合によっては、コンクリート圧送ポンプ１２の停止処置などが間に合わずに鋼管柱２が降伏・破損してしまう。  
そこで、本実施形態に係る構築方法では、圧入作業を実施中の作業者が閉塞の予兆を把握し易くなるよう管理業務を支援すべく、管理支援システムが導入されている。
【００１５】
図１に示すように、この管理支援システムは、（１）コンクリート４の圧入圧力を計測する圧力計１８と、（２）コンクリート４の充填高さＨを計測するレーザー距離計２６と、（３）鋼管柱２内のコンクリート４の充填状況を監視する監視カメラ２８と、（４）圧力計１８からの圧入圧力の計測値Ｐｎに、レーザー距離計２６からの計測値Ｈｎを計測時刻Ｔｎで対応付けてグラフ化して表示する管理コンピュータ３０と、を備えている。
【００１６】
監視カメラ２８は、鋼管柱２の内部に配置され、同内部にコンクリート４が充填される様子を上方から撮影する。すなわち、監視カメラ２８は、鋼管柱２の上部から吊下され、充填中のコンクリート４の天端面４ａの直上に近接配置されている。そして、この監視カメラ２８は、充填中のコンクリート４の天端面４ａの上昇に応じて徐々に持ち上げられる。この監視カメラ２８により撮影された動画映像データは、適宜なケーブル類２８ａを通じてリアルタイムで管理コンピュータ３０へ送信される。
【００１７】
圧力計１８は、図１中の拡大図Ａに示すように、コンクリート供給管１４の圧入口８側の端部１４ａに一体的に取り付けられており、その計測用受圧面１８ａは、コンクリート供給管１４の内部に通じている。これにより、鋼管柱２の内部へと圧送されるコンクリート４の圧入圧力を、所定の計測周期ΔＴ（例えば、数ミリ秒〜数秒）に基づく計測時刻Ｔｎでリアルタイム計測する。この圧入圧力の計測値Ｐｎは、圧力計１８に接続されたケーブル類２０を通じて計測装置２２へ逐次入力された後に、有線ＬＡＮや無線ＬＡＮ等の通信手段などを通じて、計測装置２２から管理コンピュータ３０へとリアルタイムで送信される。
【００１８】
レーザー距離計２６は、鋼管柱２の上部に配置されている。そして、鋼管柱２の内部に充填されるコンクリート４の充填高さＨを上方から計測する。詳しくは、当該レーザー距離計２６は、鋼管柱２の内部において、コンクリート４の天端面４ａの上方に設置されており、そして、同天端面４ａへ向けてレーザーを照射し、これにより、天端面４ａとレーザー距離計２６のセンサー下端２６ａとの間の距離Ｄｎを、上記の圧入圧力の計測値Ｐｎと計測時刻Ｔｎを揃えつつリアルタイムで計測する。
【００１９】
ここで、コンクリート４の充填高さＨｎは、例えば、圧力計１８の前記計測用受圧面１８ａの高さ位置を零点として計測される。よって、レーザー距離計２６のセンサー下端２６ａから前記計測用受圧面１８ａまでの距離をＬとした場合には、レーザー距離計２６は、計測した距離Ｄｎを用いて充填高さの計測値Ｈｎを下式１に基づき算出する。そして、計測値Ｈｎは管理コンピュータ３０へと逐次送信される。  
充填高さの計測値Ｈｎ＝Ｌ−Ｄｎ    …（１）
なお、上述の距離Ｌは施工図などに基づいて予め定まる既知の値である。また、この式１の演算は、管理コンピュータ３０の方で行っても良い。
【００２０】
管理コンピュータ３０は、例えば、ノート型のパーソナルコンピュータ等のコンピュータ装置であり、表示部としての液晶ディスプレイ３５と、入力操作部としてのマウスやキーボードと、演算処理部としてのコントローラと、データ記録部としてのハードディスクと、前記ケーブル類２０，２８ａに接続されて、外部との間でデータの入出力を行うインターフェース部としてのインターフェースカードと、を備えている。
【００２１】
コントローラは、ＣＰＵと、ＲＡＭ等のメモリと、を有している。また、ハードディスクには、前記インターフェースカードを介して送信される監視カメラ２８の動画映像や、前記充填高さ及び圧入圧力の計測値Ｈｎ，Ｐｎ等を、液晶ディスプレイ３５に表示するための表示プログラムが予め格納されている。よって、コントローラは、ハードディスクから上記表示プログラムを読み出して実行し、これにより、液晶ディスプレイ３５上には、監視カメラ２８の動画映像や前記計測値Ｐｎ，Ｈｎが、所定形式で表示される。
【００２２】
図２は、液晶ディスプレイ３５の表示画面の一例である。表示画面は、左右２領域に区分され、一方には、監視カメラ２８の動画映像２８ｇがリアルタイムで表示され、他方には、圧入圧力の計測値Ｐｎと充填高さの計測値Ｈｎとの関係のグラフがリアルタイムで表示される。
【００２３】
グラフは、横軸に充填高さを取り、縦軸に圧入圧力を取って表示される。そして、圧力計１８及びレーザー距離計２６から前記計測値Ｐｎ，Ｈｎが計測周期ΔＴで送信される度に、新たな点（以下、プロット点とも言う）が追加でプロットされる。このプロットは、コンクリート４の圧入が終了するまで繰り返される。
【００２４】
そして、圧入が正常終了した場合には、図３Ａのような右肩上がりの略直線状のグラフが描かれる。これに対して、閉塞が生じた場合には、例えば図３Ｂのような、圧入圧力が急上昇したグラフが描かれる。よって、これらグラフ形状の相違に基づいて、作業者は、閉塞の予兆を容易に認識可能となる。例えば、図３Ｂの場合には、前記圧入圧力が急上昇したグラフが描かれ始めた時点ｔ１で、これを見た作業者は、閉塞の予兆を瞬時に把握することができる。
【００２５】
また、単に圧入圧力の計測値Ｐｎのみがデジタル表示等されている場合と比べて、グラフ化されている方が視覚に訴え得ることや図形的イメージで捉え易いことも、閉塞の予兆把握のし易さに有効に寄与するものと考えられる。
【００２６】
ここで、このグラフには、作業員の閉塞の予兆把握をより容易にすべく、比較の目安として液圧ラインＬｉが予め併記されている。この液圧ラインＬｉは、圧入時の圧力損失等の影響を無視できる理想条件下において、プロットされる点が辿るべき謂わば理論液圧ラインであり、下式２に基づく理論液圧値と充填高さの関係を示すものである。  
理論液圧値＝充填高さＨ×コンクリートの比重ｃγ…（２）
なお、理論液圧値が、充填高さＨの一次関数で表記されるのは、コンクリート４の圧入口８付近の圧力は、鋼管柱２内に充填されたコンクリート４の重みに基づいて生じるからである。
【００２７】
従って、理論的には、この液圧ラインＬｉからプロット点が大きく外れた場合には、何らかの異常が生じていると言える。但し、実際には、圧入に伴って圧力損失が生じるので、実際にプロットされる点は、図３Ａに示すように、この液圧ラインＬｉよりも多少高めの位置を辿ることになる。このため、本実施形態では、図２〜図３Ｂに示すように、液圧ラインとしては、式２に基づくラインＬｉ以外に、このラインＬｉを、１よりも大きい値αでα倍したラインも併記されており、具体的には、下式３及び下式４に基づく理論液圧値を１．３倍した１．３倍液圧値及び１．５倍した１．５倍液圧値を、それぞれ充填高さとの関係で示したラインＬｉ（１．３）（以下、１．３倍液圧ラインとも言う）及びラインＬｉ（１．５）（以下、１．５倍液圧ラインとも言う）も併せて画面表示されている。  
１．３倍液圧値＝１．３×理論液圧値  …（３）
１．５倍液圧値＝１．５×理論液圧値  …（４）
そして、今まで出願人が試験的に複数回行った圧入作業実績によれば、圧入作業が正常終了した場合には、図３Ａに示すように、グラフは、コンクリート４の鋼管柱２への充填開始から充填終了（充填高さ２５ｍ）までの間に亘り、１．３倍液圧ラインＬｉ（１．３）を上に超えることは概ね無かった。
【００２８】
従って、例えば、グラフのプロット点が、１．３倍液圧ラインＬｉ（１．３）よりも下に位置していれば、作業者は、コンクリート４の圧入圧力が急上昇するような閉塞の予兆は無いと判断して安心して圧入作業を継続できる。一方、１．３倍液圧ラインＬｉ（１．３）を超え始めたら、閉塞の予兆があると判断して、以降、作業者は細心の注意をもって圧入作業を管理することができる。すなわち、管理業務に、めりはりをつけることができる。ちなみに、１．３倍液圧ラインＬｉ（１．３）を超えた時に作業者が取り得る処置としては、圧入圧力を下げるべく、コンクリート圧送ポンプ１２の操作盤を操作等してコンクリート４の圧入速度を遅くすること等が挙げられる。
【００２９】
ところで、本実施形態では、前記グラフに対して、上述の液圧ラインＬｉ，Ｌｉ（１．３），Ｌｉ（１．5）以外に、鋼管柱２自体の材料強度に基づいて定まる圧入圧力の許容上限値を示す許容上限ラインＬｕも予め併記している。よって、前記グラフのプロット点と対照することにより、作業者は、許容上限ラインＬｕまでの余裕代を一見して認識することができて、瞬時に安全か危険かの判断を行える。
【００３０】
このラインＬｕは、鋼管柱２の断面形状によって異なる。例えば、鋼管柱２が丸形鋼管の場合には下式５により表され、鋼管柱２が角形鋼管の場合には下式６により表される。  
許容上限値Ｐｙ＝２・ｓσｙ・（ｔ／Ｂ）    …（５）
許容上限値Ｐｙ＝２・ｓσｙ・（ｔ／Ｂ）２    …（６）
なお、上式５及び上式６中の「ｓσｙ」は鋼管柱２の降伏強度である。「Ｂ」は、鋼管柱２が角形であれば柱の幅であり、丸形であれば柱の外径である。また「ｔ」は鋼管柱２の板厚である。
【００３１】
ここで、基本的には、この許容上限ラインＬｕまでは、鋼管柱２は強度上保つと想定される。よって、望ましくは、作業者が表示画面上のグラフ形状から閉塞の予兆を察知した場合でも、即座に圧入作業を中断することはせずに、上述のように圧入速度を調整しながら、上記の許容上限ラインＬｕを超えるまでは圧入作業を継続すると良い。そうすれば、場合によっては、そのまま許容上限ラインＬｕを超えずに、充填高さＨが目標高さに到達するケースもあり得て、その場合には、圧入作業は概ね正常終了されたことになる。
【００３２】
これに対し、目標高さに到達する前に、グラフのプロット点が、許容上限ラインＬｕを超えそうな場合には、プロット点が許容上限ラインＬｕに一致した時点又は超える直前で圧入を中断すると良い。そして、この場合には、コンクリート４の充填高さＨが目標高さに達していない状態で圧入を中断することになるが、その後処理としては、例えば、鋼管柱２の上部開口よりトレミー管を挿入して、上方からコンクリート４の充填作業を行うこと、あるいは、鋼管柱２の健全性を点検後に、当該途中まで充填済みのコンクリート４の天端面４ａよりも上方の鋼管柱２の部位にコンクリート４の圧入口８を削孔し、この圧入口８にコンクリート供給管１４等を接続して圧入作業を再開すること等が挙げられる。
【００３３】
また、場合によっては、上述の許容上限ラインＬｕよりも所定倍だけ低い位置に、別途、管理ラインＬｋを予め併記しても良い。例えば、図２〜図３Ｂの例では、許容上限ラインＬｕの０．８倍の位置に管理ラインＬｋが描かれている。すなわち、このラインＬｋは下式７に基づいて描かれている。  
管理値Ｐｋ＝０．８×Ｐｙ  …（７）
そして、この管理ラインＬｋを、作業者への警報発令等に使用しても良い。例えば、圧入圧力の計測値Ｐｎが管理ラインＬｋを超えたら、管理コンピュータ３０が自動的に警報を出すようにしても良い。この警報としては、例えば、スピーカーで警告音を鳴らすことや、液晶ディスプレイ３５に警告メッセージを表示すること等が挙げられる。ちなみに、この警報に基づいて、作業者は、圧入作業を中断しても良い。
【００３４】
図４は、鋼管柱２内へのコンクリート４の圧入作業手順の一例のフロー図である。  
まず、作業者は、コンクリート圧送ポンプ１２を起動して鋼管柱２の内部へのコンクリート４の圧入を開始する（Ｓ０２）。また、これと併行して、鋼管柱２の圧入口８近傍の圧力計１８によるコンクリート４の圧入圧力の計測を開始するとともに、レーザー距離計２６によるコンクリート４の充填高さＨの計測も開始する（Ｓ０４）。そして、これにより、液晶ディスプレイ３５上には、圧入圧力の計測値Ｐｎと充填高さの計測値Ｈｎとの関係のグラフがプロットされ始める。なお、この液晶ディスプレイ３５には、監視カメラ２８による、コンクリート４の充填状況の動画映像２８ｇを並列表示しても良い。
【００３５】
次に、作業者は、レーザー距離計２６により計測されたコンクリート４の充填高さＨｎの変化速度からコンクリート４の鋼管柱２内への充填速度が、管理値以下か否かをチェックする（Ｓ０６）。この管理値は、例えば新都市ハウジング協会によるCFT造技術指針・同解説による既定値である。そして、充填速度が管理値以下でない場合には、ステップＳ２０へと進み、コンクリート圧送ポンプ１２の圧入速度が遅くなるように調整し、これにより、鋼管柱２内への充填速度を抑制する。そして、しかる後に、ステップＳ０６へと戻り、再度、充填速度が管理値以下か否かをチェックする。
【００３６】
一方、ステップＳ０６において、充填速度が管理値以下であった場合には、次にステップＳ０８へと進む。そして、作業者は、液晶ディスプレイ３５に表示された、圧入圧力の計測値Ｐｎと充填高さの計測値Ｈｎとの関係のグラフを見て、同グラフの最新及びその近傍のプロット点が、１．３倍液圧ラインＬｉ（１．３）を上方に超えていないか否かをチェックする（Ｓ０８）。そして、超えていない場合には、「閉塞の予兆無し」と判定して、ステップＳ１０へ進む。一方、超えていた場合には、「閉塞の予兆有り」と判定して、直ちにステップＳ２２へと進み、コンクリート４の圧入速度が遅くなるように調整後、ステップＳ１０へと進む。
【００３７】
ステップＳ１０では、作業者は、液晶ディスプレイ３５の前記グラフを見て、最新又はその近傍のプロット点が、管理ラインＬｋを超えたか否かをチェックする。そして、管理ラインＬｋを超えた場合には「鋼管柱２の破損の危険有り」と判定して、直ちにコンクリート４の充填作業を中断すべくステップＳ１４へと進む。そして、コンクリート圧送ポンプ１２を停止する。なお、この中断後の後処理は、前述したとおりである。  
逆に、ステップＳ１０において、管理ラインＬｋを超えていない場合には、「鋼管柱２の破損の危険無し」と判定してステップＳ１２へ進む。
【００３８】
そして、ステップＳ１２では、コンクリート４の充填高さＨが目標高さに達したか否かをチェックする。ここで、充填高さＨが目標高さに達していない場合には、ステップＳ０６へと戻り、再び、充填速度が管理値以下か否かをチェックし、以降、上述のフローを繰り返す。一方、コンクリート４の鋼管柱２内への充填高さＨが目標高さに達していた場合には、ステップＳ１４へと進み、コンクリート４の充填作業を終了すべく、コンクリート圧送ポンプ１２を停止する。そして、前記グラフに係るデータや充填状況の動画映像データ等の保存を実行する（Ｓ１８）。なお、これらデータは、監理者、設計者および発注者への提出帳票類の作成に利用しても良い。
【００３９】
＝＝＝その他の実施の形態＝＝＝
以上、本発明の実施形態について説明したが、本発明は、かかる実施形態に限定されるものではなく、その要旨を逸脱しない範囲で以下に示すような変形が可能である。
【００４０】
上述の実施形態では、インターフェースカード等を通じてレーザー距離計２６の計測値Ｈｎ及び圧力計１８の計測値Ｐｎを管理コンピュータ３０に入力し、これら計測値Ｐｎ，Ｈｎの関係を液晶ディスプレイ３５に自動的にグラフ化して表示していたが、何等これに限るものではなく、計測値Ｈｎ，Ｐｎを目視した作業者が、表示手段としての用紙等にグラフを手書きして表示しても良い。
【００４１】
例えば、レーザー距離計２６の計測値Ｈｎを表示するメーターと、圧力計１８の計測値Ｐｎを表示するメーターとが、これらを一度に見られない程度に離れている場合、つまり、レーザー距離計２６のメーターが鋼管柱２の上部に設置され、圧力計１８のメーターが鋼管柱２の下部に設置されている場合には、次のようにして行われる。
【００４２】
先ず、レーザー距離計２６のメーターの前と、圧力計１８のメーターの前とに、それぞれ、作業者を配置する。そして、これら作業者は、同時に各メーターの指示値たる計測値Ｈｎ，Ｐｎを読み取り、一方の作業者が、他方の作業者に無線等の連絡装置で、読み取った計測値Ｈｎ（又はＰｎ）を連絡する。そして、連絡を受けた他方の作業者は、自身が読み取った計測値Ｐｎ（又はＨｎ）と合わせて、これら計測値Ｈｎ，Ｐｎを方眼紙等の媒体上のＸＹ直交座標に鉛筆等の筆記具を用いてプロットする。このような計測作業を、定期的に繰り返し行うことにより、計測値Ｐｎ，Ｈｎの関係のグラフを手書き表示することができる。
【００４３】
なお、この場合のコンクリート４の充填高さＨの計測方法としては、レーザー距離計２６に代えて、検尺を行っても良い。すなわち、鋼管柱２の内部に上方から検尺用の糸を垂らし、その垂下端が鋼管柱２内に充填されたコンクリートの天端面４ａに接触するまで下方へ糸を繰り出し、その際の繰り出し長さに基づいて充填高さの計測値Ｈｎを求めても良い。
【００４４】
上述の実施形態では、表示手段として液晶ディスプレイ３５を例示したが、前記圧入圧力の計測値Ｐｎと前記充填高さの計測値Ｈｎとの関係のグラフを視認可能に表示できれば、何等これに限るものではなく、例えばＣＲＴディスプレイや、プラズマディスプレイ、有機ＥＬディスプレイ等のモニタでも良いし、更には、レーザープリンタや、インクジェットプリンタ、ドットプリンタ等の印刷装置を用いても良い。なお、印刷装置の場合には、紙等の印刷媒体に対して、前記圧入圧力の計測値Ｐｎと前記充填高さの計測値Ｈｎとの関係のグラフをプロットして表示することになる。
【００４５】
上述の実施形態では、レーザー距離計２６を用いて鋼管柱２内のコンクリート４の充填高さＨを計測したが、この充填高さＨを計測可能であれば、何等これに限るものではない。例えば、対象に向けて超音波を発信して対象までの距離を計測する超音波距離計などを用いても良いし、更には、鋼管柱２が、その側周壁に蒸気抜き孔を有している場合には、当該蒸気抜き孔からのコンクリート４のノロ漏れによって充填高さＨを計測しても良い。
【００４６】
上述の実施形態では、許容上限ラインＬｕを式５又は式６に基づいて、更に、管理ラインＬｋを式７に基づいて描いていたが、何等これに限るものではなく、それぞれ、以下の式５ａ、式６ａ、式７ａに示すような補正式を用いても良い。  
許容上限値Ｐｙｈ＝（２・ｓσｙ・（ｔ／Ｂ）−ｃγ・ｈｍ）…（５ａ）
許容上限値Ｐｙｈ＝（２・ｓσｙ・（ｔ／Ｂ）２−ｃγ・ｈｍ）…（６ａ）
管理値Ｐｋｈ＝０．８×（Ｐｙ−ｃγ・ｈｍ）  …（７ａ）
【００４７】
ここで、上式中の「ｃγ」は、前述したように充填中のコンクリート４の比重であるが、「ｈｍ」は、図１に示すように、充填済みコンクリート１０の上面１０ａからの圧力計１８の計測用受圧面１８ａの設置高さである。ここで、この補正の意味は、次の通りである。鋼管柱２に作用する圧入圧力は、充填中のコンクリート４の最下部、つまり上記充填済みコンクリート１０の上面１０ａ近傍において最大値となると想定されるところ、圧力計１８の計測用受圧面１８ａの設置高さが、それよりもｈｍだけ高いと、圧力計１８による計測値Ｐｎはその分（ｃγ・ｈｍ）だけ低く計測されることになる。そのため、この低く計測される分だけ、許容上限ラインＬｕ及び管理ラインＬｋの方も低く設定しておくのが精度上好ましいと考えられ、このような理由から、上述の式５ａ、式６ａ、式７ａを提示している。
【００４８】
但し、上述の補正に代えて、上記設置高さ分の補正（ｃγ・ｈｍ）を、圧入圧力の計測値Ｐｎの方に行うようにしても良い。すなわち、上述の圧入圧力の計測値Ｐｎを、下式８によって補正しても良い。  
補正後の圧入圧力の計測値Ｐｎ＝圧入圧力の計測値Ｐｎ＋ｃγ・ｈｍ  …（８）
なお、この場合には、レーザー距離計２６による充填高さの計測値Ｈｎは、圧力計１８の前記計測用受圧面１８ａの高さ位置を零点とするのではなく、図１の充填済みコンクリート１０の上面１０ａの位置を零点として計測し、また、許容上限ラインＬｕ及び管理ラインＬｋの算出は、式５、式６、式７によって行うのが好ましいのは言うまでもない。
【図面の簡単な説明】
【００４９】
【図１】本実施形態に係る鋼管コンクリート柱の構築方法の説明図である。
【図２】液晶ディスプレイ３５の表示画面の一例である。
【図３】図３Ａは、コンクリート４の鋼管柱２への圧入作業が正常終了した場合に表示されるグラフであり、図３Ｂは、同圧入作業中に閉塞が発生した場合に表示されるグラフである。
【図４】鋼管柱２内へのコンクリート４の圧入作業手順の一例のフロー図である。
【符号の説明】
【００５０】
２  鋼管柱、４  コンクリート、４ａ  天端面、
６  補強部材、８  圧入口、
１０  充填済みコンクリート、１０ａ  上面、
１２  コンクリート圧送ポンプ、
１４  コンクリート供給管、１４ａ  端部
１６  コンクリートミキサー車、
１８  圧力計、１８ａ  計測用受圧面、
２０  ケーブル類、２２  計測装置、
２６  レーザー距離計、２６ａ  センサー下端、
２８  監視カメラ、２８ａ  ケーブル類、２８ｇ  動画映像、
３０  管理コンピュータ、３５  液晶ディスプレイ、
Ｌｉ  液圧ライン、
Ｌｉ（１．３）  １．３倍液圧ライン、
Ｌｋ  管理ライン、
Ｌｕ  許容上限ライン
【図１】
2010150832.tif 000003
【図２】
2010150832.tif 000004
【図３】
2010150832.tif 000005
【図４】
2010150832.tif 000006